(57)【要約】【課題】    特に屋上保冷に好適であり、軽量でかつ遮光性と保冷性などを有した素材により形成され、コストの低減化やメンテナンスフリー化に優れた屋上保冷に最適な保水・保冷・断熱用パネル。【解決手段】    太陽光を反射させる素材を主成分として形成される遮光層と、保水性と保冷性と断熱性とを兼ね備えた素材を主成分とすると共に、保水性・保冷性・断熱性・強度性を兼ね備えた補強助剤を混入して低蓄熱性固化で固化した保水冷却断熱層とよりなり、かつ吸水性・通気性・放湿性を備える対流促進機能を有する積層体と、また、有孔あるいは穿孔された木質板あるいは吸放湿性のある竹メッシュなどである底板とを備える積層体、また、景観性，強度補強性，遮光性，放湿冷却性，芳香性のある人工植物を備える積層体を提供する。【選択図】図１
2009057811.tif 000002
【特許請求の範囲】
【請求項１】
太陽光を反射させる素材を主成分として形成される遮光層と、
保水性と保冷性と断熱性とを兼ね備えた素材を主成分とすると共に、保水性・保冷性・断熱性・強度性を兼ね備えた補強助剤を混入して低蓄熱性固化剤で固化した保水冷却断熱層とよりなり、かつ吸収性・通気性・放湿性を備える対流促進機能を有する積層体とよりなることを特徴とする屋上保冷に最適な保水・保冷・断熱用パネル。
【請求項２】
太陽光を反射させる素材を主成分として形成される遮光層と、
保水性と保冷性と断熱性とを兼ね備えた素材を主成分とすると共に、保水性・保冷性・断熱性・強度性を兼ね備えた補強助剤を混入して低蓄熱性固化で固化した保水冷却断熱層とよりなり、かつ吸収性・通気性・放湿性を備える対流促進機能を有する積層体と、
有孔あるいは穿孔された木質板あるいは吸放湿性のある竹メッシュなどである底板とを備えたことを特徴とする屋上保冷に最適な保水・保冷・断熱用パネル。
【請求項３】
太陽光を反射させる素材を主成分として形成される遮光層と、
保水性と保冷性と断熱性とを兼ね備えた素材を主成分とすると共に、保水性・保冷性・断熱性・強度性を兼ね備えた補強助剤を混入して低蓄熱性固化剤で固化した保水冷却断熱層とよりなり、かつ吸収性・通気性・放湿性を備える対流促進機能を有する積層体と、
積層体には景観性，強度補強性，遮光性，放湿冷却性，芳香性のある人工植物を備えることを特徴とする請求項１または２記載の屋上保冷に最適な保水・保冷用パネル。
【請求項４】
上記遮光層と上記保水冷却断熱層とは、型枠への充填成形や吹き付けまたは塗布により層状に形成されることを特徴とする請求項１，２または３記載の屋上保冷に最適な保水・保冷・断熱用パネル。
【請求項５】
遮光層は、粉砕された微粒子状で白色あるいは銀色あるいは薄いブルー系色の光沢を有する白砂，寒水石，白色珪藻土，貝殻，パーライトなどの素材から選択されることを特徴とする請求項１，２または３記載の屋上保冷に最適な保水・保冷・断熱用パネル。
【請求項６】
保水冷却断熱層は、乾燥珪藻土，ゼオライト，セピオライト，パーライトなどのような放湿持続性の高い微細な多孔質無機鉱物の中から主成分を選択して形成され、
保水性・保冷性・断熱性・強度性を兼ね備えた補強助剤は、ピートモス，木粉，綿，わら．刈芝，草，紙類，灰類のような繊維類の中から主成分を選択して形成され、
固化剤は、石灰，焼成ドロマイト，ドロマイトプラスター，石膏，水ガラス，白セメント，漆喰などのような低蓄熱性固化剤の中から選択して形成されることを特徴とする請求項１，２または３記載の屋上保冷に最適な保水・保冷・断熱用パネル
【請求項７】
底板は、木製，ベニヤ製，パーティクルボード製のように有孔あるいは穿孔された木質板あるいは吸放湿性のある竹メッシュなどの中から選択して形成されることを特徴とする請求項１記載の屋上保冷に最適な保水・保冷・断熱用パネル。
【請求項８】
底板の下面側には支持脚などを備え、さらに通気性・放湿性を有する対流促進機能を持つことを特徴とする請求項７記載の屋上保冷に最適な保水・保冷用パネル。
【発明の詳細な説明】
【技術分野】
【０００１】    この発明は、特に屋上保冷に好適であり、軽量でかつ遮光性と保冷性などを有した素材により形成され、コストの低減化やメンテナンスフリー化に優れた屋上保冷に最適な保水・保冷・断熱用パネルに関する。
【背景技術】
【０００２】    従来、ビルの屋上などを保冷してヒートアイランド現象を解消しようとする試みがなされている。その主流は屋上緑化方式とされており、植物などの植栽を図るための環境改善効果があると共に、景観の改善にも役立つなどの効果があり、各方面からは様々な屋上緑化のための提案がなされている。【０００３】    このような屋上緑化の方式は、屋上などの苛酷な環境をよりよい環境として維持しなければならないため、緑化による保冷を促進する様々な器具や装置類を運び上げなければならないと共に、緑化のための継続的な維持費もかかることとなる。このため、設備のためのコストも大幅にかかると共に、設備維持のためのメンテナンス費用なども大幅にかかるという難点があった。【０００４】    また、屋上保冷のためには、屋根裏などに断熱材を使用することも考えられているが、この断熱材は日射が強く高温がつづくと蓄熱のため高温となり、屋上下部に放熱するため下部の部屋の保冷を損ない、温度が夜間になっても低下せず今夏には１１０番の原因ともなった。【０００５】    また、従来品でも保冷のために保水性ブロックなどで打水効果を持たせたものもあるが、屋上保冷として使用する場合には、保水量や放湿性などの持続性に問題があり、かつ蓄熱性，重量などに問題があった。【０００６】
【特許文献１】特開平６−１１３６７７号公報
【特許文献２】特開２００４−１５９５９６号公報
【特許文献３】特開２０００−３３９９３号公報
【特許文献４】特開２００７−４６２８９号公報
【発明の開示】
【発明が解決しようとする課題】
【０００７】    このため、この発明は鋭意研究の結果、屋上緑化方式のように植物の植栽により保冷を行うのではなく、苛酷な環境でもよりよい環境として維持することが可能な方式を知見したものである。すなわち、屋上に降り注ぐ太陽光の熱線侵入を遮光層で遮断して防止すると共に、保水冷却断熱層と保水冷却断熱層を補強する補強助剤、それらを低蓄熱性固化剤で固化して改善し、この遮光層と保水と保冷と断熱を図る保水冷却断熱層との相乗効果により保冷性を高めたものである。【０００８】    この発明は、そのような事情によりなされたものであり、特に屋上保冷に好適な素材であって、軽量でかつ遮光性と保水性・保冷性・断熱性とを有した素材により形成され、コストの低減化やメンテナンスフリー化に優れた屋上保冷に最適な保水・保冷・断熱用パネルの提供を目的とする。
【課題を解決するための手段】
【０００９】    この発明は、そのような目的を達成するために、請求項１記載のように、太陽光を反射させる素材を主成分として形成される遮光層と、保水性と保冷性と断熱性とを兼ね備えた素材を主成分とすると共に、保水性・保冷性・断熱性・強度性を兼ね備えた補強助剤を混入して低蓄熱性固化剤で固化した保水冷却断熱層とよりなり、かつ吸収性・通気性・放湿性を備える対流促進機能を有する積層体とよりなることを特徴とする。
また、請求項２記載のように、太陽光を反射させる素材を主成分として形成される遮光層と、保水性と保冷性と断熱性とを兼ね備えた素材を主成分とすると共に、保水性・保冷性・断熱性・強度性を兼ね備えた補強助剤を混入して低蓄熱性固化で固化した保水冷却断熱層とよりなり、かつ吸収性・通気性・放湿性を備える対流促進機能を有する積層体と、有孔あるいは穿孔された木質板あるいは吸放湿性のある竹メッシュなどである底板とを備えたことを特徴とする。
また、請求項３のように、太陽光を反射させる素材を主成分として形成される遮光層と、保水性と保冷性と断熱性とを兼ね備えた素材を主成分とすると共に、保水性・保冷性・断熱性・強度性を兼ね備えた補強助剤を混入して低蓄熱性固化剤で固化した保水冷却断熱層とよりなり、かつ吸収性・通気性・放湿性を備える対流促進機能を有する積層体と、積層体には景観性，強度補強性，遮光性，放湿冷却性，芳香性のある人工植物を備えることを特徴とする。
また、請求項４のように、上記遮光層と上記保水冷却断熱層とは、型枠への充填成形や吹き付けまたは塗布により層状に形成されることを特徴とする。
また、請求項５のように、遮光層は、粉砕された微粒子状で白色あるいは銀色あるいは薄いブルー系色の光沢を有する白砂，寒水石，白色珪藻土，貝殻，パーライトなどの素材から選択されることを特徴とする。
また、請求項６のように、保水冷却断熱層は、乾燥珪藻土，ゼオライト，セピオライト，パーライト，ピートモスなどのような放湿持続性の高い微細な多孔質無機鉱物の中から主成分を選択して形成され、保水性・保冷性・断熱性・強度性を兼ね備えた補強助剤は、ピートモス，木粉，綿，わら，刈芝，草，紙類，灰類のような繊維類の中から主成分を選択して形成され、固化剤は、石灰，焼成ドロマイト，ドロマイトプラスター，石膏，水ガラス，白セメント，漆喰などのような低蓄熱性固化剤の中から選択して形成されることを特徴とする。
また、請求項７のように、底板は、木製，ベニヤ製，パーティクルボード製のように有孔あるいは穿孔された木質板あるいは吸放湿性のある竹メッシュなどの中から選択して形成されることを特徴とする。
また、請求項８記載のように、底板の下面側には支持脚などを備え、さらに通気性・放湿性を有する対流促進機能を持つことを特徴とする。
【発明の効果】
【００１０】    この発明によれば、この積層体は軽量な素材で形成され、太陽光の反射を効率よく行う素材による遮光層を備え、保水性と保冷性と断熱性とを兼ね備えた素材による保水冷却断熱層を低蓄熱性固化剤で補強しているので、屋上の保冷に最適な積層体を提供することができる。
また、植物の植栽を行なうことがなく無用なメンテナンス費用も不要となり、効果的な屋上緑化を行うことができるので、トータルコストの大幅な低減化を図り、大規模な屋上緑化のみならず小規模な屋上緑化にも最適であるとの効果を有する。
【発明を実施するための最良の形態】
【００１１】  以下、この発明を実施するための最良の形態を、図面に基づいて詳細に説明する。図１は、この発明に係る屋上保冷に最適な保水・保冷・断熱用パネルを示す縦断面図であり、図２は、第２の実施例を示す縦断面図であり、図３は、第３の実施例を示す縦断面図である。【００１２】    図１に示すように、この積層体１は軽量な素材により形成されており、熱太陽光を反射させる素材により形成された遮光層２と、保水性と保冷性と断熱性とを備えた素材により形成された保水冷却断熱層３とよりなる。【００１３】    遮光層２は、粉砕された微粒子状の白色あるいは銀色あるいは薄いブルー系色の素材よりなるもので、これにより太陽光の反射を可能とする。この遮光層２は、白砂，寒水石，白色珪藻土，貝殻，パーライトなどのような素材の中から選択されるが、白色あるいは銀色あるいは薄いブルー系色の光沢を有するものであればどのような素材でも用いることができる。【００１４】    保水冷却断熱層３は、多孔質の無機鉱物である乾燥珪藻土，ゼオライト，セピオライト，パーライト，ピートモス，白色カリオンなどのような素材の中から選択される。ただし、保水効果の高いかつ放湿性・持続性の高い多孔質の無機鉱物で、断熱効果の高い素材であればどのような素材でも用いることができる。【００１５】    また、保水性・保冷性・断熱性・強度性を兼ね備えた補強助剤３ａは、上記保水冷却断熱層３の補強助剤として用いられるもので、ピートモス，木粉，綿，わら，刈芝，草，紙類，灰類のような繊維類から選択されるが、保水冷却断熱層３の効果を損なわないものであればどのような素材でも用いることができる。【００１６】    この固化剤は、上記遮光層２と保水冷却断熱層３とを固化し積層体１として固める作用をなすもので、低蓄熱性固化剤の石灰，焼成ドロマイト，ドロマイトプラスター，石膏，水ガラス，白セメント，漆喰などの素材から選択される。ただし、このような固化剤の作用を損なわないものであればどのような素材でも用いることができる。【００１７】    既存のセメントは、強度性があるものの高蓄熱性であるため保冷には不向きである。このような素材により成形された積層体１は、比較的に薄く層状に形成されているが、吹き付けや塗布の状況によりさらに薄く形成することもできる。【００１８】    このように、この積層体１は、軽量な素材で形成され、太陽光の反射を効率よく行う素材による遮光層２を備え、保水性と保冷性と断熱性とを兼ね備えた素材による保水冷却断熱層３と、この保水冷却断熱層３をさらに強化する保水性・保冷性・断熱性・強度性を兼ね備えた補強助剤３ａを低蓄熱性固化剤として備えているので、屋上の保冷に最適な軽量である積層体を提供する。【００１９】    また、この積層体１には、上下方向に亘って適宜吸水孔４が穿設されていると共に、上下方向に亘って適宜通気孔５が穿設されており、通気性・放湿性を有して対流気化熱機能を促進し、積層体１に対する吸水と空気の出し入れ（放湿）を良好に行う。【００２０】    次に、図２により第２実施例を説明する。この図２は、積層体１の下面に底板６を添着し積層体１を支持したものである。この底板６としては、木製，ベニヤ製，パーチクルボード製のように有���あるいは穿孔された木質板あるいは吸放湿性のある竹メッシュ製の中から選択して形成される。この底板６により軽量で通気性・放湿性を有する対流促進機能を有する構造を確保し、積層体１の強度補強機能を奏する。【００２１】    すなわち、この底板６は、上下方向に亘って適宜吸水孔６ａが穿設されていると共に、上下方向に亘って適宜通気孔６ｂが穿設されており、通気性・放湿性を有して対流気化熱機能を促進し、積層体１に対する空気の出し入れを良好に行うものである。なお、この底板６の下面側には支持脚７を備えさらに通気性・放湿性を有する対流促進機能を付与している。【００２２】    また、図３に示す第３実施例には、景観性，強度補強性，遮光性，放湿冷却性、芳香性のある人工芝，造花などの人工植物８が示されており、人工植物８は積層体１に埋め込まれ基盤のネット８ａに支持されている。これらは景観の美化に寄与すると共に、香り発動機能と保冷効果と補強を補完する効果を有するものである。【００２３】      次に、この発明の具体的な実施例を示す。
遮光層：白色珪藻土，白砂，パーライト
保水冷却断熱層：乾燥珪藻土，中古コピー用紙（シュレッダー用紙），パーライト
固化剤：石灰，ドロマイトプラスター，漆喰
景観性がありかつ強度補強効果のある人工芝を埋め込んだ上記材料を複合成形して、厚さ３ｃｍ，３０ｃｍ×３０ｃｍの屋上保冷に最適な保水・保冷・断熱用パネルを作製した。
この屋上保冷に最適な保水・保冷・断熱用パネルを直射日光下（８月の炎天下）に放置した。
結果は、直射日光下で木製濡れ縁は温度５６．９℃となり、同濡れ縁を上記屋上保冷に最適な保水・保冷・断熱用パネルでカバーしたものは温度３３．９℃であった。
このとき、外気温は３６℃であった。
屋上保冷に最適な保水・保冷・断熱用パネルの優れた成果を確認することができた。【００２４】    以上の他に応用例としては、金属またはコンクリート製屋根の保冷、学校体育館の保冷、マンション，病院，事務所などの保冷、倉庫の保冷、ベランダの保冷などにも適宜応用することができる。
【図面の簡単な説明】
【００２５】
【図１】    この発明に係る屋上保冷に最適な保水・保冷・断熱用パネルを示す縦断面図である。
【図２】    この発明に係る第２の実施例を示す縦断面図である。
【図３】    この発明に係る第３の実施例を示す縦断面図である。
【符号の説明】
【００２６】１    積層体
２    遮光層
３    保水冷却断熱層
３ａ  保水性・保冷性・断熱性・強度性を兼ね備えた補強助剤
４    吸水孔
５    通気孔
６    底板
６ａ  底板の吸水孔
６ｂ  底板の通気孔
７    支持脚
８    人工植物
８ａ  ネット
【図１】
2009057811.tif 000003
【図２】
2009057811.tif 000004
【図３】
2009057811.tif 000005